(57)【要約】【課題】ユーザの位置に応じて表示位置を切り替えることができる車両用表示装置を提供する。【解決手段】車両８の所定部位に表示を行なう表示部１０と、車両８の内部又は外部にいるユーザの位置を検出する位置検出部２０と、位置検出部２０による検出結果に基づいて、検出結果に対応した表示部１０に表示情報を表示する表示制御部３０と、を有して車両用表示装置１を構成する。これにより、ユーザの位置に応じて表示位置を切り替え、また、ユーザが車両へ乗降する場合のシーンに応じて表示位置を切り替えることができるようにする。【選択図】図１
2019184972.tif 000002
【特許請求の範囲】
【請求項１】
車両の所定部位に表示を行なう表示部と、
前記車両の内部又は外部にいるユーザの位置を検出する位置検出部と、
前記位置検出部による検出結果に基づいて、前記検出結果に対応した表示部に表示情報を表示する表示制御部と、
を有する車両用表示装置。
【請求項２】
前記表示制御部は、前記車両へ乗降する場合において、前記表示情報の表示制御を行なう、請求項１に記載の車両用表示装置。
【請求項３】
前記表示制御部は、前記位置検出手段により前記外部にいるユーザの位置を検出し、且つ、前記ユーザの認証を行なう、請求項１又は２に記載の車両用表示装置。
【請求項４】
前記表示部は、前記車両の窓ガラスへの投影手段によるものである、請求項１から３のいずれか１項に記載の車両用表示装置。
【請求項５】
前記投影手段は、前記位置検出部により検出した前記ユーザの位置が前記車両の内部又は外部である検出結果に基づいて、前記表示情報を反転表示、又は非反転表示する、請求項４に記載の車両用表示装置。
【発明の詳細な説明】
【技術分野】
【０００１】
本発明は、車両用表示装置に関する。
【背景技術】
【０００２】
従来、車両の乗員（ユーザ）に対して必要な情報を提示することができる車両用情報提示装置がある（例えば、特許文献１参照）。
【０００３】
特許文献１の車両用情報提示装置は、それぞれがドライバに情報を提示する２つの提示部と、ドライバに提示する情報が入力される入力部と、入力部に入力される情報毎に、優先度と、２つの提示部のなかで情報の提示先となる対象提示部との関係を規定した優先度テーブルと、優先度テーブルに基づいて、入力部に入力された情報を提示する制御部とを有している。この場合において、制御部は、入力部に複数の情報が入力された場合には、複数の情報の入力態様と、個々の情報についての優先度及び対象提示部とに基づいて、複数の情報についての提示方法をそれぞれ決定している（例えば、特許文献１参照）。
【先行技術文献】
【特許文献】
【０００４】
【特許文献１】特開２０１７−２００８００号公報
【発明の概要】
【発明が解決しようとする課題】
【０００５】
しかし、特許文献１の技術では、映像の表示箇所が一定であり、ユーザの立ち位置や乗降車シーンによって表示位置を切り替えられない、という問題があった。
【０００６】
したがって、本発明の目的は、ユーザの位置に応じて表示位置を切り替えることができる車両用表示装置を提供することにある。
【課題を解決するための手段】
【０００７】
［１］上記目的を達成するため、車両の所定部位に表示を行なう表示部と、前記車両の内部又は外部にいるユーザの位置を検出する位置検出部と、前記位置検出部による検出結果に基づいて、前記検出結果に対応した表示部に表示情報を表示する表示制御部と、を有する車両用表示装置を提供する。
［２］前記表示制御部は、前記車両へ乗降する場合において、前記表示情報の表示制御を行なう、上記［１］に記載の車両用表示装置であってもよい。
［３］また、記表示制御部は、前記位置検出手段により前記外部にいるユーザの位置を検出し、且つ、前記ユーザの認証を行なう、上記［１］又は［２］に記載の車両用表示装置であってもよい。
［４］また、前記表示部は、前記車両の窓ガラスへの投影手段によるものである、上記［１］から［３］のいずれか１に記載の車両用表示装置であってもよい。
［５］また、前記投影手段は、前記位置検出部により検出した前記ユーザの位置が前記車両の内部又は外部である検出結果に基づいて、前記表示情報を反転表示、又は非反転表示する、上記［４］に記載の車両用表示装置であってもよい。
【発明の効果】
【０００８】
本発明の車両用表示装置によれば、ユーザの位置に応じて表示位置を切り替えることができる。
【図面の簡単な説明】
【０００９】
【図１】図１は、本発明の実施の形態に係る車両用表示装置の概略構成を示すブロック構成図である。
【図２】図２は、本発明の実施の形態に係る車両用表示装置が適用される車両の車室内を示す図である。
【図３】図３は、本発明の実施の形態に係る車両用表示装置が適用される車両の車室外を示す図である。
【図４】図４は、本発明の実施の形態に係る車両用表示装置の動作を示すフローチャートである。
【図５】図５は、車両用表示装置により車室外に所定の表示がされている状態を示す一例図である。
【図６】図６は、車両用表示装置により車室内に所定の表示がされている状態を示す一例図である。
【発明を実施するための形態】
【００１０】
（本発明の実施の形態）
本発明の実施の形態に係る車両用表示装置１は、車両８の所定部位に表示を行なう表示部１０と、車両８の内部又は外部にいるユーザの位置を検出する位置検出部２０と、位置検出部２０による検出結果に基づいて、検出結果に対応した表示部１０に表示情報を表示する表示制御部３０と、を有して構成されている。
【００１１】
図１は、本発明の実施の形態に係る車両用表示装置１の概略構成を示すブロック構成図である。図１に示すように、表示制御部３０には、表示部１０が接続されている。また、位置検出部２０（内部位置検出部、外部位置検出部）が接続されている。また、電子キー６０や携帯機との通信を行なうための、認証部４０を車両８に備えている。
【００１２】
（表示部１０）
表示部１０は、ユーザの位置が車両８の内部か外部かの検出結果に応じて、車両８の所定部位が選択されて表示される表示部位、表示装置である。表示部１０としては、例えば、図２に示すように、ドアガラス５１、フロントガラス５２、ナビゲーション画面５３、等である。表示部１０には、表示制御部３０から出力される表示情報Ｓｄに基づいて、所定の表示がなされる。
【００１３】
ドアガラス５１、フロントガラス５２、ナビゲーション画面５３は、例えば、ユーザの位置が内部である場合に、表示部として使用される。また、ドアガラス５１は、例えば、ユーザの位置が外部である場合に、表示部として使用される。なお、例えば、ドアガラス５１は、ユーザの位置が内部または外部の両方の場合に使用可能である。
【００１４】
表示部１０は、ドアガラス５１、フロントガラス５２等に備えられる場合は、例えば、ガラス面に貼り付けられる液晶表示パネル、車両８の一部から映像を投影する投影装置、等である。また、表示部１０は、ナビゲーション画面５３等の場合は、それらの機器が有する表示手段を表示部として使用することができる。
【００１５】
本実施の形態では、内部、外部の表示用として、図２、図３に示すように、表示部１０をドアガラス５１の一部とする。図２に示すように、車両８の天井部に設けられた投影装置１５により、ドアガラス５１へ所定の表示情報を投影することにより表示を行なう。
【００１６】
投影装置１５は、例えば、車両８の天井部に設けられ、ドアガラス５１の一部に所定の投影範囲θで所定の表示を投影する、窓ガラスへの投影手段である。
【００１７】
なお、所定の表示は、表示部１０の一部または全部への光の照明、表示部１０の一部または全部への光の模様の表示、表示部１０の一部または全部への文字、記号、マーク等の表示情報である。
【００１８】
（位置検出部２０、内部位置検出部、外部位置検出部）
位置検出部２０は、車両８の内部又は外部にいるユーザの位置を検出する。本実施の形態では、ユーザの位置が車両８の内部か、外部かを検出する。この位置検出部２０、内部位置検出部、外部位置検出部による検出情報は、検出情報Ｓ１、Ｓ２として表示制御部３０に入力される。
【００１９】
ユーザの位置が車両８の内部であることを検出する場合には、内部位置検出部を使用する。図２に示すように、例えば、内部位置検出部は、タッチセンサを備えた車両８の室内ドアハンドル２１である。内部位置検出部としての室内ドアハンドル２１は、ユーザが車両８から降車のために室内ドアハンドル２１にタッチしたことを検出する。これにより、車両用表示装置１は、ユーザの降車シーンにおいて、室内ドアハンドル２１に対応した表示部１０に所定の表示情報を表示することができる。
【００２０】
本実施の形態では、室内ドアハンドル２１に対応した表示部１０を、ドアガラス５１の一部、フロントガラス５２の一部、ナビゲーション画面５３等に設定できる。この設定は、１又は２以上の部位が可能であるが、以下の説明では、表示部１０をドアガラス５１の一部とする。
【００２１】
また、外部位置検出部は、タッチセンサを備えた車両８の室外のドアハンドル２２である。外部位置検出部としてのドアハンドル２２は、ユーザが車両８へ乗車のためにドアハンドル２２にタッチしたことを検出する。これにより、車両用表示装置１は、ユーザの乗車シーンにおいて、外部位置検出部に対応した表示部１０に所定の表示情報を表示することができる。
【００２２】
本実施の形態では、ドアハンドル２２に対応した表示部１０の設定を、ドアガラス５１の一部とする。
【００２３】
（表示制御部３０）
表示制御部３０は、位置判定部３１、表示選択部３２、ＩＤ認証部３３、ユーザ情報３４等を備えて、各種演算、処理を実行するための、例えばマイクロコンピュータで構成されている。表示制御部３０は、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成される。
【００２４】
（認証部４０）
認証部４０は、車両８に搭載されている。認証部４０は、例えば、通信範囲内において、ユーザが携帯する電子キー６０と無線通信を行なう。認証部４０は、電子キー６０の認証番号と登録されたユーザ情報３４とを照合し、一致した場合に電子キー６０が登録されたものであると認証する。そして認証部４０は、電子キー６０の認証成立の情報、電子キー６０の操作ボタンの操作の情報、及び認証が成立した登録番号に関連するユーザの情報などを含む認証情報Ｓ３を、車両ＬＡＮ等を介して表示制御部３０に出力する。
【００２５】
（車両用表示装置１の動作）
図４で示す本発明の実施の形態に係る車両用表示装置１の動作を示すフローチャートに基づいて、説明する。表示制御部３０は、フローチャートに従って以下の演算、処理を実行する。
【００２６】
（Ｓｔｅｐ１）
ユーザが車両に接近する。
【００２７】
（Ｓｔｅｐ２）
表示制御部３０は、ＩＤ認証部３３により、認証部４０からの認証情報Ｓ３に基づいて、ユーザＩＤの認証が成立しているかどうかを判定する。ユーザＩＤの認証が成立していると判定した場合は、Ｓｔｅｐ３へ進み（Ｓｔｅｐ３：Ｙｅｓ）、ユーザＩＤの認証が成立していないと判定した場合は、Ｓｔｅｐ１へ戻る（Ｓｔｅｐ３：Ｎｏ）。ユーザＩＤの認証が成立している場合にのみ表示を可能とすることにより、正規のユーザの乗車時にのみ所定の表示を行なうことができる。
【００２８】
（Ｓｔｅｐ３）
表示制御部３０は、位置判定部３１により、内部位置検出部としての室内ドアハンドル２１、外部位置検出部としてのドアハンドル２２で検出した検出情報Ｓ１、Ｓ２に基づいて、ユーザが外部位置にいることを検出したかどうかを判定する。位置判定部３１は、例えば、検出情報Ｓ２がオンのときに、ユーザが外部位置にいると判定することができる。ユーザが外部位置にいると判定した場合は、Ｓｔｅｐ４へ進み（Ｓｔｅｐ３：Ｙｅｓ）、外部位置にいないと判定した場合は、Ｓｔｅｐ５へ進む（Ｓｔｅｐ３：Ｎｏ）。
【００２９】
（Ｓｔｅｐ４）
表示制御部３０は、表示選択部３２により、表示部を外部用の表示部として選択する。本実施の形態では、ドアガラス５１の一部を表示部１０として選択し、表示制御部３０は、所定の表示を投影することにより表示を行なう。
【００３０】
図５は、車両用表示装置により車室外に所定の表示がされている状態を示す一例図である。所定の表示は、表示部１０の一部または全部への光の照明、表示部１０の一部または全部への光の模様の表示、表示部１０の一部または全部への文字、記号、マーク等の表示情報１８である。これにより、乗車時のシーンに応じたお出迎え等の映像表示が可能となる。
【００３１】
（Ｓｔｅｐ５）
表示制御部３０は、内部位置検出部としての室内ドアハンドル２１、外部位置検出部としてのドアハンドル２２で検出した検出情報Ｓ１、Ｓ２に基づいて、ユーザが内部位置にいることを検出したかどうかを判定する。位置判定部３１は、例えば、検出情報Ｓ１がオンのときに、ユーザが内部位置にいると判定することができる。ユーザが内部位置にいると判定した場合は、Ｓｔｅｐ６へ進み（Ｓｔｅｐ５：Ｙｅｓ）、内部位置にいないと判定した場合は、Ｓｔｅｐ１へ戻る（Ｓｔｅｐ５：Ｎｏ）。
【００３２】
図６は、車両用表示装置により車室内に所定の表示がされている状態を示す一例図である。所定の表示は、表示部１０の一部または全部への光の照明、表示部１０の一部または全部への光の模様の表示、表示部１０の一部または全部への文字、記号、マーク等の表示情報１７である。これにより、降車時のシーンに応じた映像表示が可能となる。
【００３３】
図５、図６に示したように、車両８のドアガラス５１への投影手段により、文字、記号、マーク等の表示情報１７、１８を表示する場合には、ユーザの位置が車両８の内部又は外部である検出結果に基づいて、表示情報１７、１８を反転表示、又は非反転表示する。
【００３４】
すなわち、表示制御部３０は、図５に示したように、ユーザの位置が車両８の内部である検出結果に基づいて、投影装置１５からドアガラス５１へ車両内部から表示情報１７を認識できるように表示することができる。一方、表示制御部３０は、図６に示したように、ユーザの位置が車両８の外部である検出結果に基づいて、投影装置１５からドアガラス５１へ車両外部から表示情報１８を認識できるように表示することができる。ドアガラス５１へ車両外部から表示情報１８を認識できるように表示するために、例えば、表示情報１７を反転表示することにより、表示情報１８とすることができる。
【００３５】
Ｓｔｅｐ２、Ｓｔｅｐ５の実行後、Ｓｔｅｐ１へ戻って、上記示した一連の動作を繰り返して実行することができる。
【００３６】
（実施の形態の効果）
本発明の実施の形態によれば、以下のような効果を有する。
（１）本発明の実施の形態に係る車両用表示装置は、車両８の所定部位に表示を行なう表示部１０と、車両８の内部又は外部にいるユーザの位置を検出する位置検出部２０と、位置検出部２０による検出結果に基づいて、検出結果に対応した表示部１０に表示情報を表示する表示制御部３０と、を有して構成されている。これにより、ユーザの位置に応じて表示位置を切り替えることができる。また、ユーザが車両へ乗降する場合のシーンに応じて表示位置を切り替えることができる。
（２）ユーザの位置によって表示先を変更することができ、ユーザの利便性向上、お出迎え機能の向上等が可能になる。
（３）車両の窓ガラス、例えば、ドアガラス５１へ投影手段により表示情報を表示する場合は、車両８の内部に設けられた投影手段により、表示情報を反転表示、又は非反転表示することができる。これにより、ユーザの位置が車両８の内部からでも、また、車両８の外部からでも文字等を正しく認識することができる。
【００３７】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００３８】
１…車両用表示装置、５…乗員、８…車両、１０…表示部、１５…投影装置、１７…表示情報、１８…表示情報、２０…位置検出部、２１…室内ドアハンドル、２２…ドアハンドル、３０…表示制御部、３１…位置判定部、３２…表示選択部、３３…認証部、３４…ユーザ情報、４０…認証部、５１…ドアガラス、５２…フロントガラス、５３…ナビゲーション画面、６０…電子キー、Ｓ１…検出情報、Ｓ２…検出情報、Ｓ３…認証情報、Ｓｄ…表示情報、θ…投影範囲
【図１】
2019184972.tif 000003
【図２】
2019184972.tif 000004
【図３】
2019184972.tif 000005
【図４】
2019184972.tif 000006
【図５】
2019184972.tif 000007
【図６】
2019184972.tif 000008